(57)【要約】 【課題】安定性に優れ、用土を保持でき、植え替えも任意に行うことのできる植栽用器を提供する。【解決手段】素焼き製品である容器本体１及び蓋体２とで構成され、容器本体１が上方開口部１１の円錐台形状で、水抜き孔１３を設けた底面部１２を備えると共に、底面部から下方に突出する脚部１４を備えてなり、蓋体２が、植物の生え口２１を備えると共に、前記生え口と外周を結ぶ線で分割され、前記上方開口部に着脱自在に配置可能に形成されている。【選択図】図４
0003129001.tif 000002
【実用新案登録請求の範囲】
【請求項１】
素焼き製品である容器本体及び蓋体とで構成され、容器本体が上方開口部の円錐台形状で、水抜き孔を設けた底面部を備えると共に、底面部から下方に突出する脚部を備えてなり、蓋体が、植物の生え口を備えると共に、前記生え口と外周を結ぶ位置で分割され、前記上方開口部に着脱自在に配置可能に形成されていることを特徴とする植栽用容器。
【請求項２】
素焼き製品である容器本体、蓋体及び皿体とで構成され、容器本体が、上方開口部の円錐台形状で、水抜き孔を設けた底面部を備えると共に、底面部から下方に突出する脚部を備えてなり、蓋体が、植物の生え口を備えると共に、前記生え口と外周を結ぶ位置で分割され、前記上方開口部に着脱自在に配置可能に形成され、皿体が、容器本体を内方に載置収納可能な大きさで、且つ適宜な縁部を備えてなることを特徴とする植栽用容器。
【請求項３】
素焼き製品である容器本体及び蓋体とで構成され、容器本体が上方開口部の円錐台形状で、水抜き孔を設けた底面部を備えてなり、蓋体が、植物の生え口を備えると共に、前記生え口と外周を結ぶ位置で分割され、前記上方開口部に着脱自在に配置可能に形成し、皿体が、容器本体を内方に載置収納可能な大きさで、且つ皿体内底面から離して載置できる支持部、及び適宜な縁部を備えてなることを特徴とする植栽用容器。
【請求項４】
容器本体の上方開口部の内周縁に、蓋体を載置する庇状載置部を設けてなる請求項１乃至３記載の何れかの植栽用容器。
【請求項５】
容器本体周壁内側適宜範囲に、スポンジ体を配置してなる請求項１乃至４記載の何れかの植栽用容器。
【考案の詳細な説明】
【技術分野】
【０００１】
本考案は、植栽用容器に関するものである。
【背景技術】
【０００２】
植木鉢と称される植栽用容器の一般的な形態は、逆円錐台形状の素焼き容器で、底部に水抜き孔が設けられている。このような形態の植栽用容器は重心が上方に位置し且つ接地面積が小さいので安定性に欠け、特に植物を植栽し生長すると、倒伏し易くなるという問題があった。また植物を植栽した状態での運搬に際して、用土が容器から零れ易いという問題もあった。
【０００３】
前記の対策として特許文献１（特開２００３−３１００６２号公報）に、円錐台形状で下方全体が開口した筒状の植栽用容器（文献１、図４）及び上部に平面壁部が設けられて、用土の零れ防止を実現している植栽用容器（文献１、図３）が開示されている。
【０００４】
また用土の零れを防止するカバーが特許文献２（実開昭６０−１４１７５１号公報）に示されている。このカバーは、スポンジや発泡スチロールで形成され、植栽状態の植木鉢において、植栽植物に対し装着支障にならないように、切れ目を入れたり、分割構成としているものである。
【０００５】
【特許文献１】特開２００３−３１００６２号公報。
【特許文献２】実開昭６０−１４１７５１号公報。
【考案の開示】
【考案が解決しようとする課題】
【０００６】
植栽用容器の安定性を確保するために容器を円錐台形状とすることで解決されるが、特許文献１に記載されているように、底部が全開口形状であると、当該開口部を適宜な透水性部材で塞ぐ必要があり、特許文献１においては、粒状体を接着剤で固めた粒状体層を採用しているが、粒状体層を底面開口部に嵌合装着した場合には、植栽状態での移動に際して粒状体層が外れ、用土が零れ出てしまう。また平面壁部を備えた容器（特許文献１の図３の容器）においては、粒状体層を底面開口部に接着固定すると、植栽植物の植え替えができないという不都合が生ずる。
【０００７】
また一般に植物の苗の販売は、逆円錐台形状のポットに苗を植栽した状態で行なわれており、用土を使用する植栽において、特許文献１の図３の容器では販売状態の根が張った用土と一緒に植え替えすることができない。
【０００８】
そこで本考案は、安定性に優れ、用土を保持でき、植え替えも任意に行うことができる新規な植栽用容器を提案したものである。
【課題を解決するための手段】
【０００９】
本考案に係る植栽用容器は、素焼き製品である容器本体及び蓋体とで構成され、容器本体が上方開口部の円錐台形状で、水抜き孔を設けた底面部を備えると共に、底面部から下方に突出する脚部を備えてなり、蓋体が、植物の生え口を備えると共に、前記生え口と外周を結ぶ線で分割され、前記上方開口部に着脱自在に配置可能に形成されていることを特徴とするものである。
【００１０】
従って通常の植木鉢と同様に用土を充填し、所望の植物を植栽するもので、容器本体が円錐台形状であるので、安定性に優れ、また植物が大きく末広がりに根を張ることができる。また植栽後に蓋体で容器本体の上方開口部を覆うことで、用土表面からの水分蒸発が抑えられて植物の生育が促されるし、蓋体を外すと容器本体の上方開口部が露出し、植栽植物の植え替えも容易に行うことができる。
【００１１】
又本考案は、特に容器本体周壁内側適宜範囲に、スポンジ体を配置してなることを特徴とするもので、容器本体内の末広がりとなる外周範囲をスポンジ体で占めることになり、逆円錐台形状のポットに苗を植栽した販売状態の植物を、そのまま用土と共に移し替えすることができ、スポンジ体の保水性によって当該範囲も何ら支障なく根を張ることができる。
【考案の効果】
【００１２】
本考案は上記構成のとおり逆円錐台形状の容器本体を採用すると共に、容器本体の上方開口部に蓋体を着脱自在に設けたもので、植栽時の安定性を確保すると共に、用土使用の植栽に何ら支障のない植栽用容器を提供できたものである。
【考案を実施するための最良の形態】
【００１３】
次に本考案の実施形態について説明する。実施形態で示した植栽用容器は、素焼き製品である容器本体１、蓋体２及び皿体３とで構成される。
【００１４】
容器本体１は、全体が上方開口部１１を有する円錐台形状の容器で、底面部１２に、適宜大きさの水抜き孔１３を設け、底面部１２から下方に突出する脚部１４を備え、上方開口部１１の内周面には上端から段差として中心に向って庇状に形成した載置部１５を設けてなる。
【００１５】
特に脚部１４は、容器本体１の周壁１６を延長して形成すると、外観的にもスッキリした形状となる。
【００１６】
また容器本体１内にはスポンジ体１７を内装するもので、スポンジ体１７は、一般に発芽用として使用されている植物の生長に問題がない材質並びに密度のものを採用し、容器本体１の末広がり空間における広がり部分に充填するもので、矩形板状スポンジ体を円筒状にしたり、扇型板状スポンジ体を円錐台筒状に形成し、更には必要に応じて図示するような二重筒状に形成して、容器本体１の周壁１６の内側に充填するものである。勿論三角形状の断面のスポンジ体１７を採用しても良い。
【００１７】
蓋体２は、容器本体１の上方開口部１１に嵌合する大きさで、中心に適宜な大きさの植物Ａの生え口２１を備えると共に、前記生え口２１と外周を結ぶ線で二分割されてなるものである。
【００１８】
皿体３は、前記容器本体１を内方に載置収納可能な大きさで、容器本体１を載置した際に、底面部１２面より上縁が上方に位置するような適宜な縁部３１を備えてなるものである。
【００１９】
而して前記の植栽用容器は、容器本体１内にスポンジ体１７を周壁１６に添わせて組み入れ、市販されているポット収納苗を、そのまま用土Ｂと一緒に前記内方空間に移し替えることで非常に簡単に植物の植栽が実施できるものである。勿論スポンジ体１７の内方空間に用土Ｂを充填し、種蒔き或いは植物Ａの苗を植栽しても良い。
【００２０】
植物Ａを植栽した容器本体１は、上方開口部１１に蓋体２を嵌合装着し、皿体３に載置収納し、通常のとおり水やりを行い、植物を生育させるものである。
【００２１】
従って末広がり形状の容器本体１は、従前の植木鉢に比較して安定性が増し、倒伏の可能性が低くなり、また植物の根が張る範囲が末広がり状となるので、しっかりと植物の根か張り易く、スポンジ体１７部分も用土Ｂと同様に根が張ることになる。
【００２２】
更に前記植栽状態の植物を他に植え替えする場合には、蓋体２を外し、植物Ａを用土Ｂと共に取り出すことで可能であり、スポンジ体１７も容易に変形するので、植物Ａの根が当該箇所に張っていたとしても、上方開口部１１から一緒に取り出すことができる。
【００２３】
又本考案は、前記実施形態に限定するものではなく、例えば蓋体２を三分割構成としたり、上方開口部１１の内方に嵌合する形態とせずに、外方から覆う構造としても良い。
【００２４】
また図６に例示するとおり、容器本体１ａが、脚部１４を備えない構造であれば、皿体３ａに、容器本体１ａの底面部１２が直接載置される支持部３２を備えさせ、この組み合わせで使用することで対応できるものである。特に脚部１４を備えない容器本体１ａは、製造の容易性という利点がある。
【図面の簡単な説明】
【００２５】
【図１】本考案の実施形態の各部材の斜視図。
【図２】同スポンジ体の装着説明図。
【図３】同植物の植栽説明図。
【図４】同蓋体の装着説明図。
【図５】同使用状態の全体斜視図。
【図６】同別例の使用状態の正面図（一部切断）。
【符号の説明】
【００２６】
１，１ａ    容器本体
１１        上方開口部
１２        底面部
１３        水抜き孔
１４        脚部
１５        載置部
１６        周壁
１７        スポンジ体
２          蓋体
２１        生え口
３，３ａ    皿体
３１        縁部
３２        支持部
【図１】
0003129001.tif 000003
【図２】
0003129001.tif 000004
【図３】
0003129001.tif 000005
【図４】
0003129001.tif 000006
【図５】
0003129001.tif 000007
【図６】
0003129001.tif 000008